(57)【特許請求の範囲】
【請求項１】
梁端が、柱の梁端対向側面部に対し、中心から側方に偏心して接合された梁と柱の偏心接合構造であって、
梁の端部に接合部材が接合され、
該接合部材が、柱の梁端対向側面部にボルトにて接合されると共に、この梁端対向側面部と偏心がわにおいて隣接する側面部にボルト接合されて、梁と柱とを接合しており、
前記接合部材は、柱の梁端対向側面部にボルト接合されるスプリットティーと、柱の偏心がわの隣接側面部にボルト接合される補助部材とからなり、
前記補助部材は、横断面における一方辺プレート部の一方半部を切り欠いた断面Ｌ型材からなり、
同Ｌ型材の他方辺プレート部の切欠きがわが柱の偏心がわの隣接側面部にボルト接合されると共に、
同Ｌ型材の前記一方辺プレート部の反切欠きがわは、梁のフランジとスプリットティーのウェブと重なり状にされ、これら梁フランジ、スプリットティーウェブとボルト接合にて三者一体化されていることを特徴とする梁と柱の偏心接合構造。
【発明の詳細な説明】
【０００１】
【発明の属する技術分野】
本発明は、鉄骨造りなどの建物において用いられる梁と柱の偏心接合構造に関する。
【０００２】
【従来の技術】
例えば鉄骨造りの建物において、Ｈ形鋼からなる梁の端部を、角形鋼管からなる柱の側面部に接合する構造として、図１４に示すように、梁５２の端部に溶接したエンドプレート５３を、柱５１の梁端対向側面部にボルト接合５４…する構造が用いられることがある。あるいはまた、図１６に示すように、スプリットティー５５，５５を用い、そのウェブ５５ｂを梁５２のフランジ５２ｂに重ねてボル接合５４…すると共に、フランジ５５ａを柱５１の梁端対向側面部５１ａにボルト接合５４…する構造が用いられることもある。
【０００３】
【発明が解決しようとする課題】
ところで、図１５及び図１７に示すように、梁５２の端部を、柱５１の梁端対向側面部に対し、その中心位置Ｃから側方に偏心させて接合することを求められることがある。例えば、外壁、床との取り合いの効率アップのため、梁５２と柱５１とが外壁パネル５６のがわにおいて面一ないしはほぼ面一となるよう、梁５２を柱５１の中心位置Ｃから外壁パネル５６のがわに偏心させて接合しようというような場合である。
【０００４】
そのような場合に、上記のようなエンドプレート５３による接合構造では、エンドプレート５３を柱５１に接合するためのボルト５４…の取付け領域が、梁５２の偏心がわにおいて、充分に確保されなくなる場合がある。例えば、図１５に示すように、梁５２がＨ形鋼によるものである場合は、梁ウェブ５２ａがボルトの取付け領域に位置してしまい、その領域でのボルト接合を困難なものにしてしまう。このことは、エンドプレート５３を柱５１に接合するボルトの本数を減少させて、各ボルト５４…の力学的負担を大きくし、梁５２と柱５１の接合力を弱める結果となる。のみならず、ボルト５４…の取付け位置を柱５１の中心Ｃに対し左右非対称にして、梁５２に柱５１から離れる方向の力が作用した場合に、ボルト５４…に曲げなどの付加応力を生じさせ、耐力低下を起こして、梁５２と柱５１の接合力をより一層弱める結果となる。
【０００５】
また、スプリットティー５５による接合構造の場合も同様に、スプリットティー５５を柱５１に接合するためのボルト５４…の取付け領域が、図１７に示すように、梁５２の偏心がわにおいて充分には確保されなくなり、エンドプレート５３を柱５１に接合するボルトの本数を減少させ、また、ボルト５４…の取付け位置を柱５１の中心Ｃに対し左右非対称にして、梁５２と柱５１の接合力を弱めてしまう。
【０００６】
そこで、こうした場合の偏心接合構造として、図１８（イ−１）（イ−２）に示すように、柱５１に通しダイアフラム５７，５７を備えさせ、このダイアフラム５７，５７に梁５２の端部を溶接する構造も考えられるが、これでは、通しダイアフラム５７，５７を備えさせた柱５１を形成しなければならず、また、梁５２と柱５１との接合に現場での溶接が必要となるなど、不具合なこともある。
【０００７】
また、図１８（ロ）に示すように、柱５１に内ダイアフラム５８，５８を備えさせ、柱５１の外面部に梁５２の端部を溶接する接合構造も考えられるが、同じく現場での溶接が必要となるほか、特に角形鋼管柱５１のような場合、同図に示すように、柱５１の角隅部外周が円弧であるがゆえ、梁５２を偏心させて溶接すると、柱５１の角隅部分において溶接不良を起こしやすいなどの問題がある。
【０００８】
本発明は、上記のような問題点に鑑み、梁端を柱の梁端対向側面部に対し側方偏心状態にしっかり強固にボルト接合することができる梁と柱の偏心接合構造を提供することを課題とする。
【０００９】
【課題を解決するための手段】
上記の課題は、梁端が、柱の梁端対向側面部に対し、中心から側方に偏心して接合された梁と柱の偏心接合構造であって、
梁の端部に接合部材が接合され、
該接合部材が、柱の梁端対向側面部にボルトにて接合されると共に、この梁端対向側面部と偏心がわにおいて隣接する側面部にボルト接合されて、梁と柱とを接合していることを特徴とする梁と柱の偏心接合構造によって解決される。
【００１０】
この接合構造では、梁端に接合される接合部材を、柱の梁端対向側面部のほか、偏心がわの隣接側面部に対しても、ボルト接合する構造としているから、柱の梁端対向側面部における偏心がわのボルト取付け領域の不足が、柱の同じく偏心がわの隣接側面部において補われる。従って、接合部材を柱に接合するボルトの本数を増加させることができて、各ボルトの力学的負担を小さくして、梁と柱の接合力を大きくすることができる。しかも、梁の偏心がわにおいて上記のように充分な本数のボルトを用いて接合を行えるから、梁に柱から離れる方向の力が作用した場合でも、ボルトに曲げなどの付加応力が生じにくくなり、耐力が向上されて、梁５２と柱５１の接合力をより一層大きくすることができる。従って、梁端を柱の梁端対向側面部に対し側方偏心状態にしっかり強固にボルト接合することができる。
【００１１】
しかも、接合部材と柱とはそれらがボルトにて接合される構造であるから、接合部材と梁とが溶接接合される構造の場合であっても予め接合部材を梁に溶接しておくようにすることで、現場での溶接を排除することができる。
【００１２】
上記の偏心接合構造において、接合部材の構造形式としては、エンドプレートを用いるタイプのものや、スプリットティーを用いるタイプのものなどが採用されてよい。
【００１３】
エンドプレートタイプの場合は、接合部材が、柱の梁端対向側面部にボルト接合される梁端エンドプレートと、柱の偏心がわの隣接側面部にボルト接合される補助プレートとにより構成される。
【００１４】
このエンドプレートタイプでは、接合部材は、エンドプレートと補助プレートとが連接一体化された断面Ｌ型材からなるものとするのが、接合部材を構成簡素なものにでき、また接合部材を単一部品化でき、梁端への接合部材の取付けを工数少なく行うことができるなどの利点を有して好ましい。断面Ｌ型材は、既製のアングル材によるものであってもよいし、プレートの曲げ加工品であってもよいし、プレート同士を溶接して組み立てた溶接組立て品であってもよいし、鋳物材や鍛造品であってもよいし、特段に制限はない。
【００１５】
また、スプリットティータイプの場合は、接合部材が、柱の梁端対向側面部にボルト接合されるスプリットティーと、柱の偏心がわの隣接側面部にボルト接合される補助部材とから構成される。
【００１６】
このスプリットティータイプでは、補助部材がプレートからなり、該補助プレートがスプリットティーの側面部に接合一体化されているものとすることで、プレートを用いて接合部材を簡素に製作することができ、接合部材を単一部品化でき、梁端への接合部材の取付けも工数少なく行うことができるなどの利点を発揮することができる。
【００１７】
また、スプリットティータイプでは、補助部材が、横断面における一方辺プレート部の一方半部を切り欠いた断面Ｌ型材からなり、同Ｌ型材の他方辺プレート部の前記切欠きがわが柱の偏心がわの隣接側面部にボルト接合されると共に、同Ｌ型材の一方辺プレート部の反切欠きがわが梁にボルト接合されている構造とすることで、補助部材をスプリットティーに対し、溶接などで接合一体化させておく必要をなくすことができる。
【００１８】
また、このスプリットティータイプにおいて、前記梁がＨ形鋼からなり、前記補助部材が横断面における一方辺プレート部の一方半部を切り欠いた断面Ｌ型材からなり、同Ｌ型材の他方辺プレート部の切欠きがわが柱の偏心がわの隣接側面部にボルト接合されると共に、同Ｌ型材の前記一方辺プレート部の反切欠きがわが、梁のフランジとスプリットティーのウェブと重なり状にされ、これら梁フランジ、スプリットティーウェブとボルト接合にて三者一体化されている構造を採用することにより、接合部材と梁とをボルトにて高剛性に接合一体化することが可能となる。
【００１９】
【発明の実施の形態】
以下に示す実施形態は、鉄骨造りの建物に適用した場合のもので、建物躯体の柱１は角形鋼管からなり、梁２はＨ形鋼からなる。梁２は、梁２と外壁パネル３との間隔距離を短くして外壁パネル３などとの取り合いを効率アップするため、その端部が、柱１の梁端対向側面部１ａに対し、その中心Ｃから外壁パネル３のがわに偏心して接合され、梁２と柱１は、偏心がわにおいて面一ないしはほぼ面一になるようにされる。
【００２０】
図１及び図２に示す第１実施形態は、この偏心接合に、エンドプレートタイプの接合部材４を用いた場合のものである。この接合部材４は、例えば既製のアングル材などによる構成簡素な断面Ｌ型材からなっていて、その一方辺プレート部を梁端エンドプレート部５とし、もう一方辺プレート部を補助プレート部６としている。
【００２１】
接合部材４は、そのエンドプレート部５の背面部に梁２の端部が溶接接合され、そして、エンドプレート部５の内面部が柱１の梁端対向側面部１ａに沿わされると共に、補助プレート部６の内面が柱１の梁端対向側面部１ａと偏心がわにおいて隣接する側面部１ｂに沿わされ、エンドプレート部５が柱１の梁端対向側面部１ａに、補助プレート部６が柱１の偏心がわ隣接側面部１ｂにそれぞれボルト接合７…されて、梁２を、柱中心Ｃから側方に偏心させた状態に、柱１に接合している。
【００２２】
この偏心接合構造では、接合部材４のエンドプレート部５において、梁ウェブ２ａが偏心がわに寄るため、この梁ウェブ２ａが、梁端対向側面部１ａの偏心がわの領域で、ボルトの取付けを妨げるが、柱１の偏心がわ隣接側面部１ｂへの接合部材補助プレート部６のボルト接合７…によって、ボルト７…の必要本数が確保され、各ボルト７…の力学的負担を小さくでき、しかも、梁２に柱１から離れる方向の力が作用した場合でも、ボルト７…に曲げなどの付加応力を生じにくくなって耐力向上される。従って、梁２の端部を柱１の梁端対向側面部１ａに対し側方偏心状態にしっかり強固にボルト接合することができる。なお、ボルト接合は、例えば、ワンサイドボルトなどを用いて実施される。
【００２３】
梁２と柱１の接合は、予め、工場などにおいて接合部材４を梁２の端部に溶接接合しておき、そして、建築現場では、梁端の接合部材４を柱１にボルト接合７…するというようにして行う。これにより、現場では、梁２を柱１に対し溶接レスで接合することができる。また、梁端に備えられた接合部材４の補助プレート部６を柱１の偏心がわ隣接側面部１ｂに当てるだけで、梁２を所定の偏心位置に位置決めすることができ、現場において梁２を柱１に対し所定の偏心状態に容易にセッティングすることが可能である。
【００２４】
なお、梁２の端部において、上下のフランジ２ｂ，２ｂの反偏心がわの側部に、リブプレート８，８を、反偏心がわに水平に突出するよう溶接接合し、このリブプレート８，８の先端を、梁２とともに、接合部材エンドプレート部５の背面部に溶接接合する構成とすることで、補強効果を得られ、強度的にしっかりした強固な接合構造を得ることができる。
【００２５】
図３及び図４に示す第２実施形態の偏心接合構造は、接合部材として、同じくエンドプレートタイプのものを用いた場合のものである。本実施形態の接合部材４は、補助プレート６，６が、梁２の上下のフランジ２ｂ，２ｂに対応して一対備えられている。各補助プレート６は、エンドプレート５を挟んで、柱１がわのみならず、梁２がわにも突出するように、エンドプレート５の側部に溶接されている。また、本実施形態では、補助プレート６，６は、梁２に対しても溶接されている。なお、接合部材４と柱１との接合は、上記第１実施形態の場合とほぼ同様であり、ボルトにて接合されることはいうまでもない。
【００２６】
この構造では、エンドプレート５と補助プレート６，６とをＴ字接合により強固に溶接接合することができる。また、接合部材４と梁２との接合も、補助プレート６と梁２とを溶接する場合は、よりしっかりしたものにすることができる。更に、予めエンドプレート５と補助プレート６，６とを溶接して接合一体化して接合部材とし、この組立て接合部材４を梁２の端部に接合する方法を採る場合は、補助プレート６，６を梁２のフランジ２ｂ，２ｂの側縁部に当てるだけで、接合部材４を梁２に対して所定の偏心組み合わせ関係に位置決めすることができ、梁端への接合部材４のセッティングを容易に行うことができる。また、梁２の背が高い場合に、材料少なく接合部材４を構成することができる。
【００２７】
図５及び図６に示す第３実施形態の偏心接合構造は、第２実施形態の構造において、補助プレート６を一枚ものとした場合のものである。接合部材４の構成部材点数を少なくすることができ、梁２の背が低い場合などに有利である。
【００２８】
図７及び図８に示す第４実施形態の偏心接合構造は、接合部材として、スプリットティータイプのものを用いた場合のものである。本実施形態の接合部材４は、スプリットティー９と、スプリットティー９に組み合わされた補助部材としての補助プレート１０とからなっていて、上下一対備えられている。補助プレート１０は、スプリットティー９のフランジ９ａを挟んで柱１のがわと梁２のがわとの両方に突出するように、スプリットティー９の側部に組み合わされ、スプリットティー９のフランジ９ａとウェブ９ｂの側縁部に溶接されている。
【００２９】
接合部材４，４は、上下のスプリットティーウェブ９ｂ，９ｂが、それらの間に梁２を挟んで梁端フランジ２ｂ，２ｂに重ねられ、スプリットティーウェブ９ｂと梁端フランジ２ｂとがボルト接合７…されて、梁２の端部に接合されている。また、接合部材４は、スプリットティー９のフランジ９ａの背面が柱１の梁端対向側面部１ａに沿わされると共に、補助プレート１０の内面が、柱１の梁端対向側面部１ａと偏心がわにおいて隣接する側面部１ｂに沿わされ、スプリットティー９のフランジ９ａが柱１の梁端対向側面部１ａに、補助プレート１０が柱１の隣接側面部１ｂにそれぞれボルト接合７…されて、柱１に接合されている。こうして、梁２は、柱中心Ｃから側方に偏心させた状態に柱１に接合されている。
【００３０】
この偏心接合構造においても、接合部材４のスプリットティー９のフランジ９ａにおいて、梁ウェブ２ａが偏心がわに寄るため、この梁ウェブ２ａが、梁端対向側面部１ａの偏心がわの領域で、ボルトの取付けを妨げるが、柱１の偏心がわ隣接側面部１ｂへの接合部材補助プレート１０のボルト接合７…によって、ボルト７…の必要本数が確保され、各ボルト７…の力学的負担を小さくでき、しかも、梁２に柱１から離れる方向の力が作用した場合でも、ボルト７…に曲げなどの付加応力を生じにくくなって耐力向上される。従って、梁２の端部を柱１の梁端対向側面部１ａに対し側方偏心状態にしっかり強固にボルト接合することができる。なお、ボルト接合は、例えば、ワンサイドボルトなどを用いて実施される。
【００３１】
梁２と柱１の接合は、予め、工場などにおいてスプリットティー９と補助プレート１０とを溶接接合して接合部材４を用意しておくことによって、現場では、梁２を柱１に対し、溶接レスで接合することができるのみならず、接合部材４を、柱１に対しても、また梁２に対しても、溶接レスでボルト７…にて簡易に接合することができる。また、接合部材４の補助プレート１０を柱１の偏心がわ隣接側面部１ｂに当てるようにし、同じく接合部材４の補助プレート１０を梁２のフランジ２ｂの側部に当てるようにするだけで、梁２は柱１に対し所定の偏心位置に位置決めされ、柱１に対する梁２のセッティングを適正かつ容易に行うことができる。
【００３２】
図９及び図１０に示す第５実施形態の偏心接合構造は、接合部材として、同じくスプリットティータイプのものを用いたものである。本実施形態の接合部材４は、補助部材が、横断面における一方辺プレート部１０ａの一方半部を切り欠いた１１、例えばアングル材などによる断面Ｌ型材１０からなっており、スプリットティー９とは、溶接されることなく、個別に備えられている。スプリットティー９は狭幅に形成されている。
【００３３】
そして、接合部材４は、梁２との関係では、梁フランジ２ｂの梁ウェブ２ａを挟む一方部分に、スプリットティーウェブ９ｂがボルト接合７…されると共に、梁フランジ２ｂの梁ウェブ２ａを挟むもう一方部分に、Ｌ型材１０の一方辺プレート部１０ａの反切欠きがわがボルト接合７…されて、梁２に接合されている。Ｌ型材１０，１０は、図示のように、梁フランジ２ｂ，２ｂの内面がわに接合することによって、上下方向へのＬ型材１０，１０の突出をなくすことができ、床や天井などとの取り合いをしやすくすることができる。なお、図示しないが、梁フランジ２ｂ，２ｂの外面側にＬ型材１０，１０をボルト接合するようにしてもよいし、あるいは、各梁フランジ２ｂについてその内外両面にそれぞれＬ型材１０を重ねるようにして３者一体にボルト接合するようにしてもよい。
【００３４】
また、接合部材４は、柱１との関係では、柱１の梁端対向側面部１ａに、スプリットティーフランジ９ａがボルト接合７…されると共に、柱１の偏心がわ隣接側面部１ｂに、Ｌ型材１０の他方辺プレート部１０ｂの切欠きがわがボルト接合７…されて、柱１に接合されている。なお、Ｌ型材１０，１０のうちの一方は、柱１に溶接されていてもよい。
【００３５】
以上のようにして、梁２と柱１とが接合部材４，４にて偏心接合されている。本実施形態では、補助部材１０をスプリットティー９に対し溶接にて接合する必要をなくすことができる。
【００３６】
図１１及び図１２に示す第６実施形態の偏心接合構造は、接合部材として、同じくスプリットティータイプのものである。本実施形態の接合部材４においても、上記の第５実施形態と同様に、切欠き１１を有する断面Ｌ型材１０が用いられているが、スプリットティー９については、広幅のものが用いられている。Ｌ型材１０の一方辺プレート部１０ａの反切欠きがわが、梁フランジ２ｂを挟むようにしてスプリットティーウェブ９ｂとあわせて３つ重ね状にされ、これらＬ型材一方プレート部１０ａと梁フランジ２ｂとスプリットティーウェブ９ｂとの三つがボルト接合７…にて一体的に接合されている。その他は第５実施形態と同様である。なお、Ｌ型材１０，１０のうち、一方は柱１に溶接されていてもよい。
【００３７】
この偏心接合構造では、接合部材を構成するＬ型材１０とスプリットティー９と、そして梁２とをボルトにて高剛性に接合一体化することができる。しかも、Ｌ型材１０とスプリットティー９とが、梁フランジ２ｂに対し２面摩擦接合されることにより、接合部材４に対する梁２の接合をしっかりとしたものにすることができる。
【００３８】
図１３に示す第７実施形態の偏心接合構造は、第５実施形態類似の偏心接合構造にかかるもので、柱１を挟む両側の梁２を、一つの補助部材、即ち、中央部に切欠き１１を有する断面Ｌ型材１０を用いて柱１に偏心接合するようにしたものである。接合部材の構成部品点数を少なくできる利点を有する。なお、この形式は、適宜他の実施形態における補助プレート、補助部材に可能な限り適用されてよい。
【００３９】
以上に、本発明の実施形態を示したが、本発明はこれに限られるものではなく、発明思想を逸脱しない範囲で各種変更が可能である。例えば、上記実施形態では、柱１が角形鋼管からなり、梁２がＨ形鋼からなる場合の接合構造について示しているが、柱や梁は、発明思想にかなう範囲内の各種横断面形状のものであってよい。また、本発明は、必ずしも鉄骨造りの建物における梁と柱の偏心接合構造に限られるものではない。またボルト接合の形式については、ワンサイドボルトによるもののほか、柱の壁に設けたネジ孔にボルトを螺合させて接合するものや、柱に仕込んだナットにボルトを螺合させて接合するものなど、各種のボルト接合形式が用いられてよい。
【００４０】
【発明の効果】
上述の次第で、本発明の梁と柱の偏心接合構造は、梁端に備えさせた接合部材を、柱の梁端対向側面部のほか、偏心がわの隣接側面部に対しても、ボルト接合する構造となされたものであるから、柱の梁端対向側面部における偏心がわのボルト取付け領域の不足を、柱の同じく偏心がわの隣接側面部において補うことができ、従って、接合部材を柱に接合するボルトの本数を増加させることができて各ボルトの力学的負担を小さくでき、しかも、梁に柱から離れる方向の力が作用した場合でも、ボルトに曲げなどの付加応力が生じにくくなって耐力向上でき、それゆえ、梁端を柱の梁端対向側面部に対し側方偏心状態にしっかり強固にボルト接合することができる。
【図面の簡単な説明】
【図１】第１実施形態の偏心接合構造を示すもので、図（イ）は断面側面図、図（ロ）は図（イ）のＩ−Ｉ線矢視図、図（ハ）は図（イ）のII−II線矢視図である。
【図２】同構造の一部断面分解斜視図である。
【図３】第２実施形態の偏心接合構造を示すもので、図（イ）は断面側面図、図（ロ）は図（イ）のＩ−Ｉ線矢視図、図（ハ）は図（イ）のII−II線矢視図である。
【図４】同構造の一部断面分解斜視図である。
【図５】第３実施形態の偏心接合構造を示すもので、図（イ）は断面側面図、図（ロ）は図（イ）のＩ−Ｉ線矢視図、図（ハ）は図（イ）のII−II線矢視図である。
【図６】同構造の一部断面分解斜視図である。
【図７】第４実施形態の偏心接合構造を示すもので、図（イ）は断面側面図、図（ロ）は図（イ）のＩ−Ｉ線矢視図、図（ハ）は図（イ）のII−II線矢視図である。
【図８】同構造の一部断面分解斜視図である。
【図９】第５実施形態の偏心接合構造を示すもので、図（イ）は断面側面図、図（ロ）は図（イ）のＩ−Ｉ線矢視図、図（ハ）は図（イ）のII−II線矢視図である。
【図１０】同構造の一部断面分解斜視図である。
【図１１】第６実施形態の偏心接合構造を示すもので、図（イ）は断面側面図、図（ロ）は図（イ）のＩ−Ｉ線矢視図、図（ハ）は図（イ）のII−II線矢視図である。
【図１２】同構造の一部断面分解斜視図である。
【図１３】第７実施形態の偏心接合構造を示す断面平面図である。
【図１４】従来例を示すもので、エンドプレートを用いた場合の梁・柱の芯合わせ接合構造を示し、図（イ）は断面側面図、図（ロ）は図（イ）のＩ−Ｉ線矢視図、図  （ハ）は図（イ）のII−II線矢視図である。
【図１５】同接合構造において梁を側方に偏心させた場合の接合構造を示すもので、図  （イ）は断面側面図、図（ロ）は図（イ）のＩ−Ｉ線矢視図である。
【図１６】他の従来例を示すもので、スプリットティーを用いた場合の梁・柱の芯合わせ接合構造を示し、図（イ）は断面側面図、図（ロ）は図（イ）のＩ−Ｉ線矢視図、図（ハ）は図（イ）のII−II線矢視図である。
【図１７】同接合構造において梁を側方に偏心させた場合の接合構造を示すもので、図  （イ）は断面側面図、図（ロ）は図（イ）のＩ−Ｉ線矢視図である。
【図１８】関連技術を示すもので、図（イ−１）（イ−２）は通しダイアフラムを用いた溶接による偏心接合構造を示す断面側面図及び側面図、図（ロ）は内ダイアフラムを用いた溶接による偏心接合構造を示す拡大断面平面図である。
【符号の説明】
１…柱
１ａ…梁端対向側面部
１ｂ…偏心がわの隣接側面部
２…梁
２ａ…ウェブ
２ｂ…フランジ
４…接合部材
５…エンドプレート部
６…補助プレート部
９…スプリットティー
９ａ…フランジ
９ｂ…ウェブ
１０…補助プレート
１０…断面Ｌ型材
１０ａ…一方辺プレート部
１０ｂ…他方辺プレート部
１１…切欠き
【図１】
0004060467.tif 000002
【図２】
0004060467.tif 000003
【図３】
0004060467.tif 000004
【図４】
0004060467.tif 000005
【図５】
0004060467.tif 000006
【図６】
0004060467.tif 000007
【図７】
0004060467.tif 000008
【図８】
0004060467.tif 000009
【図９】
0004060467.tif 000010
【図１０】
0004060467.tif 000011
【図１１】
0004060467.tif 000012
【図１２】
0004060467.tif 000013
【図１３】
0004060467.tif 000014
【図１４】
0004060467.tif 000015
【図１５】
0004060467.tif 000016
【図１６】
0004060467.tif 000017
【図１７】
0004060467.tif 000018
【図１８】
0004060467.tif 000019